(57)【要約】【課題】太陽電池モジュール本体の受光側への保護フィルムの取り付けに使用する接着シートの接着剤が太陽電池モジュール本体の受光側の表面に残ることを抑制することが可能な太陽電池モジュール用の表面保護部材を提供する。【解決手段】太陽電池モジュール１用の表面保護部材１１は、太陽電池セル１２を保護するための表面保護材２２と、表面保護材２２の受光側の表面に形成した反射防止膜１５と、表面保護材２２の周縁部に設けた反射防止膜１５を形成していない被膜除去部１６とを備える。被膜除去部１６を形成した領域Ｓ１は表面保護材２２の表面に接着シート３１を貼付するための領域である。これにより、表面保護部材１１の受光面１１ａに保護フィルム３０などを配置するとき、保護フィルム３０を一時的に保持するための接着シート３１が領域Ｓ１に貼付される。【選択図】図３
2013157558.tif 000002
【特許請求の範囲】
【請求項１】
太陽電池セルを保護するための表面保護材と、
前記表面保護材の受光側の表面に形成した反射防止膜と、
前記表面保護材の周縁部に設けた前記反射防止膜の受光側の表面に対して凹部として形成した被膜除去部と、
を備え、
前記被膜除去部を形成した領域が、前記表面保護材の表面に接着シートを貼付するための領域であることを特徴とする太陽電池モジュール用の表面保護部材。
【請求項２】
前記被膜除去部を形成した領域に、前記表面保護材の受光側の表面に対して凸部として形成した前記反射防止膜と、前記凹部として形成した前記被膜除去部とを並置したことを特徴とする請求項１に記載の太陽電池モジュール用の表面保護部材。
【請求項３】
前記凸部として形成した前記反射防止膜及び前記凹部として形成した前記被膜除去部を筋状に形成したことを特徴とする請求項２に記載の太陽電池モジュール用の表面保護部材。
【請求項４】
前記凸部として形成した前記反射防止膜及び前記凹部として形成した前記被膜除去部を略波形に形成したことを特徴とする請求項２に記載の太陽電池モジュール用の表面保護部材。
【請求項５】
前記被膜除去部を前記表面保護材の受光側の表面の周縁部の全周にわたって形成したことを特徴とする請求項１または請求項２に記載の太陽電池モジュール用の表面保護部材。
【請求項６】
前記被膜除去部を形成した領域が前記接着シートより小さいことを特徴とする請求項１または請求項２に記載の太陽電池モジュール用の表面保護部材。
【請求項７】
受光側の表面に反射防止膜を有する太陽電池モジュール本体の製造方法であって、
太陽電池セルの受光面に対向して配置した表面保護材の受光側の表面に反射防止膜を形成して表面保護部材を形成する工程と、
前記表面保護材の受光側の表面の周縁部に前記反射防止膜の受光側の表面に対して凹部となる被膜除去部を形成する工程と、
前記反射防止膜の受光側に配置した保護フィルムと前記被膜除去部を形成した領域とに跨って接着シートを貼付して前記保護フィルムを前記表面保護部材の受光側の表面に取り付ける工程と、
前記表面保護部材から前記接着シートとともに前記保護フィルムを取り外す工程と、
を有することを特徴とする太陽電池モジュール本体の製造方法。
【請求項８】
請求項７に記載の方法を用いて製造される太陽電池モジュール本体。
【請求項９】
請求項８に記載の太陽電池モジュール本体と、
前記太陽電池モジュール本体の周縁部を保持する枠体と、
を備えることを特徴とする太陽電池モジュール。
【発明の詳細な説明】
【技術分野】
【０００１】
本発明は、太陽電池モジュール用の表面保護部材と、太陽電池モジュール本体の製造方法と、その方法を用いて製造される太陽電池モジュール本体と、その太陽電池モジュール本体を備える太陽電池モジュールとに関する。
【背景技術】
【０００２】
従来の太陽電池モジュールは特許文献１に記載された光電変換装置に開示されている。太陽電池モジュールは一般的に屋外で使用されることが多い。このため、太陽電池セルは単体ではなく、ガラス基板などの表面保護材と、合成樹脂などで形成された裏面保護材との間に封止材で封止された形態の太陽電池モジュール本体として使用される。
【０００３】
太陽電池モジュールにおける太陽電池セルの封止工程では、まず封止装置（ラミネート装置）のプレス部に、例えば表面保護材と、太陽電池セルと、封止材と、裏面保護材とを重ねて載置する。そして、それらを加圧しながら加熱して封止材を溶融させ、太陽電池セルを封止する。その後、封止材の種類により、さらに封止材を加熱して硬化させるキュア工程を実施する場合もある。
【０００４】
このような太陽電池モジュール本体の表面保護材の受光側の表面には、特許文献１に記載の太陽電池モジュール本体のように反射防止膜が設けられていることが多い。反射防止膜は表面保護材の表面に到達した光がその表面において反射することを抑制して有効に太陽電池セルまで到達するように作用する。これにより、反射防止膜は太陽電池モジュールの発電効率を向上させている。
【先行技術文献】
【特許文献】
【０００５】
【特許文献１】特開平１０−２０９４８１号公報
【発明の概要】
【発明が解決しようとする課題】
【０００６】
ここで、上記従来の太陽電池モジュール本体の反射防止膜を保護する目的で反射防止膜の受光側に保護フィルムを配置することがある。この保護フィルムは太陽電池モジュール本体の製造の各工程において反射防止膜に汚れや傷が付くことを防止する。保護フィルムはこのような目的で一時的に取り付けられるものであって、製造工程の最終段階までには取り外される。
【０００７】
保護フィルムの取り付け工程と取り外し工程とを簡便に実行するため、所謂粘着テープなどの接着シートが用いられることが多い。しかしながら、接着シートを用いる場合、保護フィルムを取り外すときに接着シートの接着剤（粘着剤）が太陽電池モジュール本体の受光側の表面に残ってしまうという問題があった。
【０００８】
太陽電池モジュールは一般的に屋外で使用されるため、その受光側は風雨に晒されるだけでなく、塵埃などの汚れが付着することがある。太陽電池モジュールの受光側の表面に汚れが付着しても通常雨で洗い流されるが、接着剤が残っていると接着剤が付着した箇所に汚れが残り易くなる。太陽電池モジュールの受光側の表面に汚れが残ると、太陽電池セルに入射する光量が減少して変換効率の低下に繋がる。また、意匠的にも問題がある。
【０００９】
太陽電池モジュールの受光側の表面に残った接着剤を有機系の薬剤等で拭き取るという方法もあるが、拭き取りのための工程が必要となって工数や使用薬剤が増加する。さらに、反射防止膜に付着した接着剤を完全に拭き取ることは難しく、付着物を広げて薄くしているだけという結果しか得られないという課題もあった。
【００１０】
本発明は、上記の点に鑑みなされたものであり、太陽電池モジュールの反射防止膜を保護する目的で太陽電池モジュール本体の受光側に保護フィルムを取り付ける際、保護フィルムの取り付けに使用する接着シートの接着剤が太陽電池モジュール本体の受光側の表面に残ることを抑制することが可能な太陽電池モジュール本体の製造方法を提供することを目的とする。また、その方法を用いて製造される太陽電池モジュール本体及びその表面保護材と、その太陽電池モジュール本体を備える太陽電池モジュールとを提供することを目的とする。
【課題を解決するための手段】
【００１１】
上記の課題を解決するため、本発明の太陽電池モジュール用の表面保護部材は、太陽電池セルを保護するための表面保護材と、前記表面保護材の受光側の表面に形成した反射防止膜と、前記表面保護材の周縁部に設けた前記反射防止膜の受光側の表面に対して凹部として形成した被膜除去部と、を備え、前記被膜除去部を形成した領域が、前記表面保護材の表面に接着シートを貼付するための領域であることを特徴としている。
【００１２】
この構成によれば、表面保護部材の受光側の表面に保護フィルムなどを配置するとき、保護フィルムを一時的に保持するための接着シートが被膜除去部を形成した領域に貼付される。ここで、反射防止膜を一様に形成した領域の表面と比較して、被膜除去部を形成した領域の表面は構造上、接着シートの付着強度が弱くなるように構成されている。したがって、接着シートの接着剤が太陽電池モジュール本体の受光側の表面に残り難くなる。
【００１３】
また、上記構成の太陽電池モジュール用の表面保護部材において、前記被膜除去部を形成した領域に、前記表面保護材の受光側の表面に対して凸部として形成した前記反射防止膜と、前記凹部として形成した前記被膜除去部とを並置したことを特徴としている。
【００１４】
この構成によれば、接着シートの反射防止膜に対する接着面積が低減する。したがって、接着シートの接着剤は太陽電池モジュール本体の受光側の表面に残り難くなる。
【００１５】
また、上記構成の太陽電池モジュール用の表面保護部材において、前記凸部として形成した前記反射防止膜及び前記凹部として形成した前記被膜除去部を筋状に形成したことを特徴としている。
【００１６】
この構成によれば、接着シートの反射防止膜に対する接着面積がさらに低減する。したがって、接着シートの接着剤は太陽電池モジュール本体の受光側の表面にさらに残り難くなる。
【００１７】
また、上記構成の太陽電池モジュール用の表面保護部材において、前記凸部として形成した前記反射防止膜及び前記凹部として形成した前記被膜除去部を略波形に形成したことを特徴としている。
【００１８】
この構成によれば、接着シートの反射防止膜に対する接着面積がより一層低減する。したがって、接着シートの接着剤は太陽電池モジュール本体の受光側の表面にさらに残り難くなる。
【００１９】
また、上記構成の太陽電池モジュール用の表面保護部材において、前記被膜除去部を前記表面保護材の受光側の表面の周縁部の全周にわたって形成したことを特徴としている。
【００２０】
この方法によれば、接着シートが表面保護部材の受光側の表面の周縁部の全周にわたって貼付される。したがって、保護フィルムの取り付け状態が安定する。
【００２１】
また、上記構成の太陽電池モジュール用の表面保護部材において、前記被膜除去部を形成する領域が前記接着シートを貼付する領域より小さいことを特徴としている。
【００２２】
また、上記の課題を解決するため、本発明は、受光側の表面に反射防止膜を有する太陽電池モジュール本体の製造方法であって、太陽電池セルの受光面に対向して配置した表面保護材の受光側の表面に反射防止膜を形成して表面保護部材を形成する工程と、前記表面保護材の受光側の表面の周縁部に前記反射防止膜の受光側の表面に対して凹部となる被膜除去部を形成する工程と、前記反射防止膜の受光側に配置した保護フィルムと前記被膜除去部を形成した領域とに跨って接着シートを貼付して前記保護フィルムを前記表面保護部材の受光側の表面に取り付ける工程と、前記表面保護部材から前記接着シートとともに前記保護フィルムを取り外す工程と、を有することを特徴としている。
【００２３】
この方法によれば、反射防止膜の受光側において保護フィルムを一時的に保持するための接着シートが被膜除去部を形成した領域に貼付される。ここで、反射防止膜を一様に形成した領域の表面と比較して、被膜除去部を形成した領域の表面は構造上、接着シートの付着強度が弱くなるように構成されている。したがって、接着シートの接着剤が太陽電池モジュール本体の受光側の表面に残り難くなる。なお、ここで用いた「受光面」とは、光エネルギーを電力に変換するために太陽電池セルが光を受ける側の面を意味する。
【００２４】
また、本発明は、上記方法を用いて製造される太陽電池モジュール本体を特徴としている。
【００２５】
この構成によれば、太陽電池モジュール本体において、保護フィルムを一時的に保持するための接着シートが被膜除去部を形成した領域に貼付される。したがって、接着シートの接着剤は太陽電池モジュール本体の受光側の表面に残り難くなる。
【００２６】
また、本発明は、太陽電池モジュールが上記方法を用いて製造される太陽電池モジュール本体と、前記太陽電池モジュール本体の周縁部を保持する枠体と、を備えることを特徴としている。
【００２７】
この構成によれば、太陽電池モジュールにおいて、保護フィルムを一時的に保持するための接着シートが被膜除去部を形成した領域に貼付される。したがって、接着シートの接着剤は太陽電池モジュール本体の受光側の表面に残り難くなる。
【発明の効果】
【００２８】
本発明の構成によれば、太陽電池モジュールの反射防止膜を保護する目的で太陽電池モジュール本体の受光側に保護フィルムを取り付ける際、保護フィルムの取り付けに使用する接着シートの接着剤が太陽電池モジュール本体の受光側の表面に残ることを抑制することが可能な太陽電池モジュール用の表面保護部材と、太陽電池モジュール本体の製造方法とを提供することができる。また、その方法を用いて製造される、接着シートの接着剤が太陽電池モジュール本体の受光側の表面に残ることが抑制された太陽電池モジュール本体及びその太陽電池モジュール本体を備える太陽電池モジュールを提供することができる。
【図面の簡単な説明】
【００２９】
【図１】本発明の第１の実施形態に係る太陽電池モジュールの外観斜視図である。
【図２】第１の実施形態に係る太陽電池モジュールの部分垂直断面図である。
【図３】第１の実施形態に係る太陽電池モジュールの太陽電池モジュール本体の部分垂直断面図にして、受光側の表面に保護フィルムを取り付けた状態を示すものである。
【図４】第１の実施形態に係る太陽電池モジュールの太陽電池モジュール本体の表面部の部分垂直断面図にして、受光側の表面に保護フィルムを取り付けた状態を示すものである。
【図５】第１の実施形態に係る太陽電池モジュールの太陽電池モジュール本体の平面図にして、受光側の表面に保護フィルムを取り付けた状態を示すものである。
【図６】本発明の第２の実施形態に係る太陽電池モジュール本体の平面図にして、受光側の表面に保護フィルムを取り付けた状態を示すものである。
【図７】本発明の第３の実施形態に係る太陽電池モジュール本体の表面部の部分垂直断面図にして、受光側の表面に保護フィルムを取り付けた状態を示すものである。
【発明を実施するための形態】
【００３０】
以下、本発明の実施形態を図１〜図７に基づき説明する。なお、図面は概略的な模式図であって、後述する説明で用いる寸法及びその割合が図面に描かれた形状の寸法及びその割合に一致するわけではない。
【００３１】
最初に、本発明の第１の実施形態に係る太陽電池モジュールについて、図１〜図５を用いてその構造を説明する。図１は太陽電池モジュールの外観斜視図、図２は太陽電池モジュールの部分垂直断面図、図３は太陽電池モジュールの太陽電池モジュール本体の部分垂直断面図にして受光側の表面に保護フィルムを取り付けた状態を示すもの、図４は太陽電池モジュール本体の表面部の部分垂直断面図にして受光側の表面に保護フィルムを取り付けた状態を示すもの、図５は太陽電池モジュール本体の平面図にして受光側の表面に保護フィルムを取り付けた状態を示すものである。なお、図１〜図４に示す太陽電池モジュール及び太陽電池モジュール本体（太陽電池セル）に対して上側が後述する受光面側、下側が裏面側である。
【００３２】
太陽電池モジュール１は、図１に示すように平面視矩形の略平板状をなしている。太陽電池モジュール１は、図１及び図２に示すように太陽電池モジュール本体１０と、周縁部被覆部材２と、枠体３とを備えている。
【００３３】
太陽電池モジュール本体１０は、図２に示すように表面保護部材１１、太陽電池セル１２、封止材１３及び裏面保護材１４を備えている。なお、表面保護部材１１は表面保護材２２と、反射防止膜１５とで構成されている。太陽電池モジュール本体１０は表面保護部材１１、太陽電池セル１２、封止材１３及び裏面保護材１４が重ね合わされて、図４に示す矩形をなす平板状に形成されている。太陽電池モジュール本体１０の詳細な構成は後述する。
【００３４】
周縁部被覆部材２は、図２に示すように太陽電池モジュール本体１０の周縁部の外側に設けられ、太陽電池モジュール本体１０の周囲を全周にわたって覆っている。周縁部被覆部材２は表面保護部材１１の表面である受光面１１ａであって表面保護部材１１の周縁部の端面１１ｂに近接する部分に接触している。すなわち、周縁部被覆部材２は表面保護部材１１の周縁部の端面１１ｂ側から受光面１１ａに沿って突出する突出部２ａを有し、突出部２ａがその受光面１１ａに接触している。
【００３５】
また、周縁部被覆部材２は裏面保護材１４の裏面１４ａであって裏面保護材１４の周縁部の端面１４ｂに近接する部分に接触している。すなわち、周縁部被覆部材２は裏面保護材１４の周縁部の端面１４ｂ側から裏面１４ａに沿って突出する突出部２ｂを有し、突出部２ｂがその裏面１４ａに接触している。周縁部被覆部材２は例えばエプトシーラー（日東電工株式会社、登録商標）などの絶縁性、防水性及び弾力性を有する材料で構成されている。周縁部被覆部材２が太陽電池モジュール本体１０の周縁部を覆うことにより、太陽電池モジュール本体１０の端面から内部への水分の浸入を防止することができる。
【００３６】
枠体３は、図１及び図２に示すように周縁部被覆部材２を介して太陽電池モジュール本体１０の周縁部を全周にわたって保持している。枠体３は例えばアルミニウムなどの金属で構成され、図２に示すその垂直断面がコ字状をなして周縁部被覆部材２の外側を覆っている。太陽電池モジュール１は枠体３の内側に形成された窓部１ａを通して光を受ける。
【００３７】
続いて、太陽電池モジュール本体１０の詳細な構成について説明する。
【００３８】
表面保護部材１１は前述のように表面保護材２２と、反射防止膜１５とで構成されている。表面保護材２２は例えば約３．２ｍｍの厚さの、平面視矩形の略平板状をなし、太陽電池セル１２の受光面に対向して配置されている。表面保護材２２は例えばガラスやポリカーボネート樹脂で形成されるが、光を透過する性質を有する他の材料であっても良い。
【００３９】
そして、表面保護部材１１の受光側の表面である受光面１１ａであって表面保護材２２の受光側の表面には、図２〜図４に示すように反射防止膜１５が形成されている。反射防止膜１５は例えばＳｉＯ２（二酸化ケイ素、シリカ）で構成されているが、他の材料で構成されていても良い。
【００４０】
なお、表面保護部材１１の受光面１１ａにはその全面に反射防止膜１５が形成されているわけではなく、図４に示すように反射防止膜１５の受光側の表面に対して凹部として形成した被膜除去部１６も形成されている。被膜除去部１６を形成する領域Ｓ１は、図５に示すように表面保護材２２の受光側の表面の周縁部に全周にわたって形成されている。そして、被膜除去部１６を形成した領域Ｓ１に、表面保護材２２の受光側の表面に対して凸部１５ａとして形成した反射防止膜１５と、反射防止膜１５の受光側の表面に対して凹部として形成した被膜除去部１６とを並置している。
【００４１】
反射防止膜１５の凸部１５ａは受光面１１ａの周縁部の辺に沿って延びる断面矩形の突条で形成されている。凹部としての被膜除去部１６は受光面１１ａの周縁部の辺に沿って延びる断面矩形の溝で形成されている。すなわち、反射防止膜１５の凸部１５ａ及び凹部としての被膜除去部１６は筋状に形成されている。
【００４２】
反射防止膜１５の凸部１５ａ及び凹部としての被膜除去部１６は高さ及び幅がそれぞれ約５０μｍである。これらの凹凸の大きさは一例であり、２０μｍ〜２５０μｍであれば後述する接着シート３１の接着剤が領域Ｓ１に残り難い。凹凸の大きさはマイクロスコープで確認することができる。なお、反射防止膜１５の受光側の表面の本来の凹凸の大きさは数百ｎｍであり、凹凸の大きさのスケールが異なる。
【００４３】
太陽電池セル１２は表面保護部材１１の裏面側であって受光面１１ａの反対側に配列されている。太陽電池セル１２は、図３に示すように太陽電池モジュール本体１０の端部から距離Ｘを隔てて配置されている。太陽電池セル１２はインターコネクタを用いて単位セルを直列に接続した状態で構成されている。なお、太陽電池モジュール本体１０がシリコン薄膜系の太陽電池モジュール本体である場合、太陽電池セル１２は表面保護部材１１の裏面上に形成される。
【００４４】
封止材１３は表面保護材２２と太陽電池セル１２との間及び太陽電池セル１２と裏面保護材１４との間にそれぞれ配置され、それら構成要素を接着している。封止材１３は例えばＥＶＡ（エチレン・酢酸ビニル共重合体）樹脂で形成されるが、他の絶縁性材料であっても良い。表面保護材２２と太陽電池セル１２との間の表面側封止材１３ａは光透過性を有する。太陽電池セル１２と裏面保護材１４との間の裏面側封止材１３ｂは光透過性を有していなくても良い。なお、この説明において特に限定する必要がある場合を除き、表面側封止材１３ａと裏面側封止材１３ｂとの区別は省略し、総じて「封止材１３」と記述するものとする。
【００４５】
裏面保護材１４は例えば約０．１ｍｍの厚さの、平面視矩形のシート状をなし、太陽電池モジュール本体１０の裏面側の一面に配置されている。裏面保護材１４は例えばＰＥＴ（ポリエチレンテレフタレート）樹脂で形成されるが、他の絶縁性材料であっても良い。例えば、裏面保護材１４はＰＥＴ樹脂とＰＥＮ（ポリエチレンナフタレート）樹脂とを積層して構成しても良い。これにより、耐湿性が向上する。また、裏面保護材１４は２層のＰＥＴ樹脂の間にアルミニウム箔を挟んだ構成にしても良い。これにより、耐湿性がさらに向上する。また、裏面保護材１４はガラスであっても良い。この場合、より一層耐湿性が向上する。
【００４６】
続いて、太陽電池モジュール本体１０及び太陽電池モジュール１の製造方法について説明する。
【００４７】
太陽電池モジュール本体１０及び太陽電池モジュール１を製造するとき、まず表面保護部材１１の受光面１１ａに反射防止膜１５を形成する。反射防止膜１５は表面保護材２２の受光側の表面の一面にスプレー法でＳｉＯ２膜を吹き付け、焼成することによって形成する。反射防止膜１５の形成方法はスプレー法に限定されるものではなく、ディップ法、ロールコーティング法、スピンコート法、ＣＶＤ法等であっても良い。
【００４８】
次に、表面保護材１１の受光面１１ａの一面に形成した反射防止膜１５に対して反射防止膜１５を局部的に除去することによって被膜除去部１６を形成する。反射防止膜１５を局部的に除去する方法としては物理的に凹部をつくる方法やレーザで光学的に傷をつける方法があるが、他の方法であっても良い。
【００４９】
次に、図３〜図５に示すように、反射防止膜１５及び被膜除去部１６を形成した表面保護部材１１の受光面１１ａに保護フィルム３０を取り付ける。保護フィルム３０は例えば厚さ５０μｍのＰＥＴ樹脂で構成されているが、他の材料であっても良い。保護フィルム３０は取り付けの作業性を考慮すると２５μｍ以上の厚さが望ましい。
【００５０】
保護フィルム３０は被膜除去部１６を形成した領域Ｓ１より内側の領域の反射防止膜１５と同じ大きさをなす矩形で形成されているが、その領域の反射防止膜１５の大きさ以上であれば良い。保護フィルム３０は、表面保護部材１１の端部から保護フィルム３０の端部までの距離Ｙが表面保護部材１１の端部から太陽電池セル１２の端部までの距離Ｘより短くなるように配置される。
【００５１】
表面保護部材１１の端部から領域Ｓ１より内側の領域の反射防止膜１５の端部までの距離は距離Ｘより短く、距離Ｙ以上になるように設計されている。表面保護部材１１の端部から領域Ｓ１より内側の領域の反射防止膜１５の端部までの距離を距離Ｘより短くすることで太陽電池セル１２に入射する十分な光量を得ることができる。また、表面保護部材１１の端部から領域Ｓ１より内側の領域の反射防止膜１５の端部までの距離を距離Ｙ以上にすることで後述する接着シート３１の接着剤が反射防止膜１５に付着することを防止することができる。
【００５２】
さらに、保護フィルム３０は、図２及び図３に示すように表面保護部材１１の端部から保護フィルム３０の端部までの距離Ｙが太陽電池モジュール１における表面保護部材１１の端部から枠体３の窓部１ａの端部までの距離Ｚより短くなるように配置される。
【００５３】
保護フィルム３０は例えば粘着テープで構成される接着シート３１を用いて取り付けられる。接着シート３１は帯状をなし、その接着面にアクリル系の接着剤が付着している。接着シート３１は反射防止膜１５の受光側に配置した矩形をなす保護フィルム３０の周縁部の４辺に沿って保護フィルム３０と被膜除去部１６を形成した領域Ｓ１とに跨って貼付される（図５参照）。被膜除去部１６を形成した領域Ｓ１において、接着シート３１は反射防止膜１５の凸部１５ａの表面に接着し、凹部としての被膜除去部１６に接着しない。
【００５４】
次に、太陽電池モジュール本体１０の不図示の封止装置のプレス部に、反射防止膜１５を形成して保護フィルム３０を取り付けた表面保護部材１１、表面側封止材１３ａ、太陽電池セル１２、裏面側封止材１３ｂ、裏面保護材１４の順に重ねて載置する。なお、太陽電池モジュール本体１０がシリコン薄膜系の太陽電池モジュール本体である場合、表面保護部材１１、封止材１３、裏面保護材１４の順に重ねて載置する。
【００５５】
次に、太陽電池モジュール本体１０の封止装置による封止工程を開始する。このとき、封止装置の上部室（裏面保護材１４側）と下部室（表面保護部材１１側）を同じ圧力で減圧する。この操作により、構成部品の各接合面から空気が除去されるとともに、封止材１３に含まれる気泡が除去される。続いて、上部室のみを大気に戻すことで太陽電池モジュール本体１０は加圧され、その加圧状態が保持される。さらに、封止工程では封止温度を例えば１２５℃に設定して太陽電池モジュール本体１０が加熱され、封止材１３が溶融される。
【００５６】
次に、キュア工程による加温を実施する。キュア工程は封止材１３としてＥＶＡ樹脂を用いた場合に必要となる工程であって、キュア温度を例えば１３５℃に設定する。このキュア工程により、ＥＶＡ樹脂の架橋反応を進行させて封止状態を安定化させる。
【００５７】
なお、封止材１３としてＥＶＡ樹脂ではなく、例えばアイオノマー樹脂、オレフィン樹脂などといったキュア工程を必要としない他の合成樹脂を使用することも可能である。これにより、キュア工程を削減することができ、太陽電池モジュール本体１０及び太陽電池モジュール１の製造を効率良く進めることが可能である。
【００５８】
太陽電池モジュール本体１０の封止工程では反射防止膜１５の受光側の表面に汚れが付着し易いので、保護フィルム３０を取り外す工程は少なくとも太陽電池モジュール本体１０の封止工程の後に実行する。これにより、反射防止膜１５の受光側の表面に汚れが付着することを防止することができる。さらに、キュア工程を実施する場合、キュア工程においても封止材１３が太陽電池モジュール本体１０の周縁部の端面からはみ出して反射防止膜１５の受光側の表面に付着する可能性があるので、保護フィルム３０を取り外す工程は太陽電池モジュール本体１０のキュア工程の後に実行することが望ましい。
【００５９】
次に、太陽電池モジュール本体１０に不図示の端子ボックスを取り付ける。
【００６０】
次に、周縁部被覆部材２を太陽電池モジュール本体１０の外側にその周囲を覆うように設ける。
【００６１】
次に、枠体３を周縁部被覆部材２の外側であって太陽電池モジュール本体１０の周縁部の全周にわたって取り付ける。
【００６２】
次に、太陽電池モジュール１の出力検査を行う。本実施形態においては、出力検査を行う前に保護フィルム３０を剥離した。
【００６３】
上記のように、太陽電池モジュール１用の表面保護部材１１は、太陽電池セル１２を保護するための表面保護材２２と、表面保護材２２の受光側の表面に形成した反射防止膜１５と、表面保護材２２の周縁部に設けた反射防止膜１５の受光側の表面に対して凹部として形成した被膜除去部１６とを備えている。そして、被膜除去部１６を形成した領域Ｓ１は表面保護材２２の表面に接着シート３１を貼付するための領域である。これにより、表面保護部材１１の受光面１１ａに保護フィルム３０などを配置するとき、保護フィルム３０を一時的に保持するための接着シート３１が被膜除去部１６を形成した領域Ｓ１に貼付される。ここで、反射防止膜１５を一様に形成した領域の表面と比較して、被膜除去部１６を形成した領域Ｓ１の表面は構造上、接着シート３１の付着強度が弱くなるように構成されている。したがって、接着シート３１の接着剤が太陽電池モジュール本体１０の受光側の表面に残り難くすることができる。
【００６４】
そして、太陽電池モジュール１用の表面保護部材１１は被膜除去部１６を形成した領域Ｓ１に、表面保護部２２の受光側の表面に対して凸部１５ａとして形成した反射防止膜１５と、反射防止膜１５の受光側の表面に対して凹部として形成した被膜除去部１６とを並置しているので、接着シート３１の反射防止膜１５に対する接着面積が低減する。したがって、接着シート３１の接着剤を太陽電池モジュール本体１０の受光側の表面に残り難くすることが可能になる。
【００６５】
また、凸部１５ａとして形成した反射防止膜１５及び凹部として形成した被膜除去部１６を筋状に形成したので、接着シート３１の反射防止膜１５に対する接着面積がさらに低減する。したがって、接着シート３１の接着剤を太陽電池モジュール本体１０の受光側の表面にさらに残り難くすることができる。
【００６６】
また、太陽電池モジュール１用の表面保護部材１１は被膜除去部１６を表面保護部２２の受光側の表面の周縁部の全周にわたって形成しているので、接着シート３１を表面保護部材１１の受光面１１ａの周縁部の全辺に貼付することができる。したがって、保護フィルム３０の取り付け状態を安定させることが可能である。
【００６７】
そして、太陽電池モジュール本体１０の製造方法は表面保護部２２の受光側の表面に反射防止膜１５を形成して表面保護部材１１を形成する工程と、表面保護部２２の受光側の表面の周縁部に反射防止膜１５の受光側の表面に対して凹部となる被膜除去部１６を形成する工程と、反射防止膜１５の受光側に配置した保護フィルム３０と被膜除去部１６を形成した領域Ｓ１とに跨って接着シート３１を貼付して保護フィルム３０を表面保護部材１１の受光面１１ａに取り付ける工程と、表面保護部材１１から接着シート３１とともに保護フィルム３０を取り外す工程と、を有する。この方法によれば、反射防止膜１５の受光側において保護フィルム３０を一時的に保持するための接着シート３１が被膜除去部１６を形成した領域Ｓ１に貼付される。反射防止膜１５を一様に形成した領域の表面と比較して、被膜除去部１６を形成した領域Ｓ１の表面は構造上、接着シートの付着強度が弱くなるように構成されているので、接着シート３１の接着剤が太陽電池モジュール本体１０の受光側の表面に残り難くすることができる。
【００６８】
さらに、太陽電池モジュール本体１０は上記方法を用いて製造されるので、保護フィルム３０を一時的に保持するための接着シート３１が被膜除去部１６を形成した領域Ｓ１に貼付される。したがって、接着シート３１の接着剤が太陽電池モジュール本体１０の受光側の表面に残り難い太陽電池モジュール本体１０を得ることができる。
【００６９】
また、太陽電池モジュール１は上記方法を用いて製造される太陽電池モジュール本体１０と、太陽電池モジュール本体１０の周縁部を保持する枠体３と、を備えるので、保護フィルム３０を一時的に保持するための接着シート３１が被膜除去部１６を形成した領域Ｓ１に貼付される。したがって、接着シート３１の接着剤が太陽電池モジュール本体１０の受光側の表面に残り難い太陽電池モジュール１を得ることができる。
【００７０】
そして、本発明の上記実施形態の構成によれば、太陽電池モジュール１の反射防止膜１５を保護する目的で太陽電池モジュール本体１０の受光側に保護フィルム３０を取り付ける際、保護フィルム３０の取り付けに使用する接着シート３１の接着剤が太陽電池モジュール本体１０の受光側の表面に残ることを抑制することが可能な太陽電池モジュール１用の表面保護部材１１と、太陽電池モジュール本体１０の製造方法とを提供することができる。また、その方法を用いて製造される、接着シート３１の接着剤が太陽電池セル１２の受光側の表面に付着することが抑制された太陽電池モジュール本体１０及びその太陽電池モジュール本体１０を備える太陽電池モジュール１を提供することができる。
【００７１】
次に、本発明の第２の実施形態に係る太陽電池モジュール本体について、図６を用いて説明する。図６は太陽電池モジュール本体の平面図にして、受光側の表面に保護フィルムを取り付けた状態を示すものである。なお、この実施形態の基本的な構成は図１〜図５を用いて説明した前記第１の実施形態と同じであるので、第１の実施形態と共通する構成要素には前と同じ符号を付し、図面の記載及びその説明を省略するものとする。
【００７２】
第２の実施形態に係る太陽電池モジュール本体１０の表面保護部材１１は、図６に示すように被膜除去部１７が表面保護材２２の受光側の表面の周縁部に形成されている。そして、被膜除去部１７を形成した領域Ｓ２は表面保護材２２の受光側の表面の周縁部の４辺各々において、辺の略中央部の局部的な１箇所に形成されている。なお、被膜除去部１７を形成した領域Ｓ２は表面保護材２２の受光側の表面の周縁部の一対の対向する２辺に形成しても良い。
【００７３】
接着シート３１は反射防止膜１５の受光側に配置した矩形をなす保護フィルム３０の周縁部の４辺に沿って保護フィルム３０と被膜除去部１７を形成した領域Ｓ２とに跨って貼付される。なお、このとき、図６に示すように被膜除去部１７を形成した領域Ｓ２が接着シート３１を貼付する領域、すなわち接着シート３１自体の大きさより小さい。被膜除去部１７を形成した領域Ｓ２において、接着シート３１は反射防止膜１５の凸部１５ａの表面に接着し、凹部としての被膜除去部１７に接着しない。
【００７４】
この構成によれば、接着シート３１の反射防止膜１５に対する接着面積が低減する。したがって、接着シート３１の接着剤を太陽電池モジュール本体１０の受光側の表面に残り難くすることが可能になる。
【００７５】
次に、本発明の第３の実施形態に係る太陽電池モジュール本体について、図７を用いて説明する。図７は太陽電池モジュール本体の部分垂直断面図にして、受光側の表面に保護フィルムを取り付けた状態を示すものである。なお、この実施形態の基本的な構成は図１〜図５を用いて説明した前記第１の実施形態と同じであるので、第１の実施形態と共通する構成要素には前と同じ符号を付し、図面の記載及びその説明を省略するものとする。
【００７６】
第３の実施形態に係る太陽電池モジュール本体１０の表面保護部材１１は、図７に示すように被膜除去部１８が表面保護材２２の受光側の表面の周縁部に形成されている。そして、被膜除去部１８を形成した領域Ｓ３に、表面保護材２２の受光側の表面に対して凸部１５ｂとして形成した反射防止膜１５と、反射防止膜１５の受光側の表面に対して凹部として形成した被膜除去部１８とを並置している。
【００７７】
反射防止膜１５の凸部１５ｂは表面保護材２２の受光側の表面の周縁部の辺に沿って延びる断面略放物線形状をなす形状で形成されている。凹部としての被膜除去部１８は表面保護材２２の受光側の表面の周縁部の辺に沿って延びる断面略放物線形状をなす溝で形成されている。すなわち、反射防止膜１５の凸部１５ｂ及び凹部としての被膜除去部１８は略波形に形成されている。ここで、被膜除去部１８を略波形としているのは断面の形状を表したものであり、３次元としてみれば被膜除去部１８の表面に細かい凹凸が多く形成されている状態である。被膜除去部１８の略波形の凹部の底が表面保護材２２と接していても良く、表面保護材２２の内部にあっても良い。
【００７８】
このような反射防止膜１５及び被膜除去部１８は、表面保護材２２の受光側の表面の一面に形成した反射防止膜１５に対して被膜除去部１８として反射防止膜１５を局部的に除去することによって形成される。
【００７９】
反射防止膜１５の凸部１５ｂ及び凹部としての被膜除去部１８には高さ及び幅がそれぞれ約２０μｍ〜６０μｍの細かい凹凸が形成されている。これらの凹凸はサンドブラスト法を用いて形成した。他の方法として、薬液を用いてエッチングを行う方法や高周波で局所的に熱をかける方法を用いて形成しても良い。
【００８０】
接着シート３１は保護フィルム３０と被膜除去部１８を形成した領域Ｓ３とに跨って貼付される。被膜除去部１８を形成した領域Ｓ３において、接着シート３１は反射防止膜１５の凸部１５ｂの表面である頂部に接着し、凹部としての被膜除去部１８に接着しない。
【００８１】
この構成によれば、接着シート３１の反射防止膜１５に対する接着面積がより一層低減する。したがって、接着シート３１の接着剤を太陽電池モジュール本体１０の受光側の表面にさらに残り難くすることが可能になる。
【００８２】
以上、本発明の実施形態につき説明したが、本発明の範囲はこれに限定されるものではなく、発明の主旨を逸脱しない範囲で種々の変更を加えて実施することができる。
【００８３】
例えば、本発明の適用対象となる太陽電池は特定の太陽電池に限定されるものではなく、ＧａＡｓ、ＣＩＳ、ＣＩＧＳ、ＣｄＴｅ等の化合物半導体太陽電池、結晶系や薄膜系のシリコン太陽電池、色素増感型太陽電池など、様々な太陽電池に適用可能である。
【産業上の利用可能性】
【００８４】
本発明は、太陽電池モジュール用の表面保護部材と、太陽電池モジュール本体の製造方法と、その方法を用いて製造される太陽電池モジュール本体と、その太陽電池モジュール本体を備える太陽電池モジュールとにおいて利用可能である。
【符号の説明】
【００８５】
１    太陽電池モジュール
２    周縁部被覆部材
３    枠体
１０    太陽電池モジュール本体
１１    表面保護部材
１１ａ    受光面
１１ｂ    端面
１２    太陽電池セル
１３    封止材
１３ａ    表面側封止材
１３ｂ    裏面側封止材
１４    裏面保護材
１４ａ    裏面
１４ｂ    端面
１５    反射防止膜
１５ａ、１５ｂ    凸部
１６、１７、１８    被膜除去部（凹部）
２２    表面保護材
３０    保護フィルム
３１    接着シート
【図１】
2013157558.tif 000003
【図２】
2013157558.tif 000004
【図３】
2013157558.tif 000005
【図４】
2013157558.tif 000006
【図５】
2013157558.tif 000007
【図６】
2013157558.tif 000008
【図７】
2013157558.tif 000009